(57)【要約】【課題】  着脱が簡単にできる安価な使い捨てスリッパカバーを提案すること。【解決手段】  使い捨てスリッパカバー１は、前後の端部がほぼ半円形輪郭をした一定幅の第１の布(カバー底部分２)と、この第１の布における前後の端部の半円形輪郭と略同一輪郭をした略半円形の二枚の第２の布(メッシュ素材５ａ、５ｂ)と、第１の布における前後の端部の表面に第２の布をそれぞれ重ねて、それらの半円形の外周縁部分を相互に接合あるいは縫い合わせることにより、当該第１の布の前後の端部に形成されている半円形の第１および第２のポケット(袋部分３ａ、３ｂ)とを有している。スリッパ１０の底面部分１０ａに第１の布を重ね、前後の第１および第２ポケットに、スリッパのつま先部分１０ｂおよびかかと部分１０ｃを差し込むことにより、着脱可能な状態でスリッパ１０に取り付けることができる。【選択図】図１
0003115172.tif 000002
【実用新案登録請求の範囲】
【請求項１】
前後の端部がほぼ半円形輪郭をした一定幅の第１の布と、
この第１の布における前後の端部の半円形輪郭と略同一輪郭をした略半円形の二枚の第２の布と、
前記第１の布における前後の端部の表面に前記第２の布をそれぞれ重ねて、それらの半円形の外周縁部分を相互に接合あるいは縫い合わせることにより、当該第１の布の前後の端部に形成されている半円形の第１および第２のポケットとを有し、
スリッパの底面に前記第１の布を重ね、前後の第１および第２ポケットに、スリッパのつま先部分およびかかと部分を差し込むことにより、着脱可能な状態でスリッパに取り付けられる使い捨てスリッパカバー。
【請求項２】
請求項１において、
前記第２の布として、メッシュ素材などのような伸縮性のある布を用いていることを特徴とする使い捨てスリッパカバー。
【考案の詳細な説明】
【技術分野】
【０００１】
本考案は、スリッパの底面部分の汚れを防止する使い捨てスリッパカバーに関するものである。
【背景技術】
【０００２】
スリッパの底面部分は、床面の塵埃などが付着するので、他の部分に比べて汚れ易い。そこで、スリッパの底面部分が汚れないように、スリッパに取り付けてその底面部分を覆うスリッパカバーが提案されている。特許文献１には、このようなスリッパカバーが開示されている。
【特許文献１】実開平７−２８４０３号広報
【考案の開示】
【考案が解決しようとする課題】
【０００３】
この特許文献に開示されているスリッパカバーは、スリッパの底部に配置されるカバー底と、スリッパの踵部を覆う踵袋と、スリッパの爪先部およびスリッパ両側部分を覆う爪先袋とを備えており、爪先袋にはスリッパの爪先部に密着するように可撓性の部材が埋め込まれている。
【０００４】
ここで、スリッパカバーとしては安価に入手できるものが望まれているが、従来において提案されているスリッパカバーは値段が高く、またスリッパへの取り付けを簡単にできないなど、手軽に使用できる使い捨てスリッパカバーとしては適していない。このため、スリッパカバーはそれほど普及していないのが現状である。
【０００５】
本考案の課題は、このような点に鑑みて、簡単に着脱できる安価な使い捨てスリッパカバーを提案することにある。
【課題を解決するための手段】
【０００６】
上記課題を解決するために、本考案の使い捨てスリッパカバーは、
前後の端部がほぼ半円形輪郭をした一定幅の第１の布と、
この第１の布における前後の端部の半円形輪郭と略同一輪郭をした略半円形の二枚の第２の布と、
前記第１の布における前後の端部の表面に前記第２の布をそれぞれ重ねて、それらの半円形の外周縁部分を相互に接合あるいは縫い合わせることにより、当該第１の布の前後の端部に形成されている半円形の第１および第２のポケットとを有し、
スリッパの底面に前記第１の布を重ね、前後の第１および第２ポケットに、スリッパのつま先部分およびかかと部分を差し込むことにより、着脱可能な状態でスリッパに取り付けられることを特徴としている。
【０００７】
ここで、前記第２の布として、メッシュ素材などのような伸縮性のある布を用いることが望ましい。
【０００８】
本考案の使い捨てスリッパカバーは、二種類の布を接合あるいは縫い合わせた極めて簡単な構成となっている。したがって、極めて安価に製造できる。
【０００９】
また、第２、第３の布を伸縮性のあるものとしてあるので、これらを押し広げることにより、簡単にスリッパに装着でき、また、取り外しも簡単である。
【考案の効果】
【００１０】
本考案によれば、着脱が容易な手軽に使用できる安価な使い捨てスリッパカバーを実現できる。
【考案を実施するための最良の形態】
【００１１】
以下に、図面を参照して、本考案を適用した使い捨てスリッパカバーの一例を説明する。
【００１２】
図１(ａ)および(ｂ)は、本例の使い捨てスリッパカバーをスリッパに装着した状態の説明図、およびその断面である。図２(ａ)および(ｂ)は、図１に示す使い捨てスリッパカバーの平面図、およびＡ−Ａ線で切断した断面図である。
【００１３】
本例の使い捨てスリッパカバー１は、スリッパ１０の底面部分１０ａを覆うためのカバー底部分２(第１の布)と、このカバー底部分布２の前後の両端部分に形成され、スリッパ１０の爪先部分１０ｂおよびかかと部分１０ｃを入れる２つの袋部分３ａ、３ｂ（第１、２のポケット）とを有している。
【００１４】
カバー底部分２は、スリッパ１０の底面部分１０ａと略同じ輪郭形状をしており、本例では、両端が略半円形をした細長い長円形をしている。カバー底部分２は、不織布などの布(第１の布)からなり、滑り難く、また、床面に対する当たりが柔らかくなっている。
【００１５】
カバー底部分２における前後の半円形の端部には、それぞれ半円形の伸縮性のあるメッシュ素材５ａ、５ｂ(第２の布)が、各々の円弧状外周縁部分を合わせるようにして重ねられている。これら円弧状外周縁部分は共に縫い付けられており、この縫い目６によって、スリッパ１０の爪先部分１０ｂおよびかかと部分１０ｃを入れる袋部分３ａ、３ｂが形成されている。縫い合わせる代わりに、接着剤を用いて接合してもよい。また、不織布の場合には熱融着によって接合してもよい。
【００１６】
この構成の使い捨てスリッパカバー１は、一方の袋部分３ａにスリッパ１０の爪先部分１０ｂを入れ、他方の袋部分３ｂにスリッパ１０のかかと部分１０ｃを差し込むことにより、スリッパ１０に取り付けることができる。
【００１７】
本例の使い捨てスリッパカバー１のメッシュ素材５ａ、５ｂは伸縮可能なので、袋部分３ａ、３ｂを押し広げることにより、これらにスリッパ１０の爪先部分１０ｂおよびかかと部分１０ｃを簡単に入れることができ、取り外しも簡単である。
【００１８】
また、使い捨てスリッパカバー１は、長円形の布(カバー底部分２)に、２枚の同一形状のメッシュ素材５ａ、５ｂを縫い付けた簡素な構成であり、前後の区別もなく、どちらを前にしてもよい。この点からも装着が簡単である。
【００１９】
さらに、使い捨てスリッパカバー１は二種類の布から製造することができるので、極めて安価であり、使い捨てするのに適している。
【００２０】
さらには、カバー底部分２は、不織布などの布素材から形成され、床面に対する当たりが柔らかいので、歩行の際に発生するパタつき音を防止できる。また、カバー底部分２に付着した塵埃によって、床面を傷つけてしまうことも防止できる。
【００２１】
なお、袋部分３ａ、３ｂをメッシュ素材５ａ、５ｂから形成しているが、それ以外の伸縮性の布素材を用いて形成することもできる。
【図面の簡単な説明】
【００２２】
【図１】(ａ)および(ｂ)は、本考案を適用した使い捨てスリッパカバーをスリッパに装着した状態の説明図、およびその断面図である。
【図２】(ａ)および(ｂ)は、図１の使い捨てスリッパカバーの平面図、およびＡ−Ａ線で切断した断面図である。
【符号の説明】
【００２３】
１  スリッパカバー
２  カバー底部分
３ａ、３ｂ  袋部分
５ａ、５ｂ  メッシュ素材
６  縫い目
【図１】
0003115172.tif 000003
【図２】
0003115172.tif 000004